(57)【要約】【課題】簡単容易に折畳める機構を有し、保管時に場所を取らず、自立移動可能な折畳みトレー棚を提供する。【解決手段】側板３は上棚４と下棚５とフック７から成りトレー1を載せる棚の側面、片側を構成できる。上棚４と下棚５のそれぞれ四隅垂直方向に柱軸６を挿入し、軸受け蓋１０、接続棒８を介し左右の側板３の上棚４と下棚５の鍔が出ている側を向かい合わせに接合することで折畳みトレー棚となる。柱軸６を軸に側板３と接続棒８は、回転可能で平行四辺形に変形可能となり、向かい合った側板３同士の上棚４と下棚５の鍔先端が接触するまで、細長いひし形に変形可能な構造で、折畳み可能となる。  【選択図】図１
2014101006.tif 000002
【特許請求の範囲】
【請求項１】
次の構成を有することを特徴とする折畳みトレー棚。
イ．四隅に柱軸を設ける。
ロ．左右の側板の向き合った面に多数の鍔を設ける。
ハ．左右の側版の前後に柱軸を設ける。
二．上下前後に柱軸を連結する接続棒を設ける。
ホ．接続棒に設けた貫通孔に柱軸を回転可能に勘合して連結する。
【請求項２】
左右の柱軸の上下を接続する接続棒の両端に軸受け蓋を設け、その軸受け蓋と接続棒に貫通孔を設け、柱軸を回転可能に勘合することを特徴とする請求項１に記載の折畳みトレー棚。
【請求項３】
平行四辺形に変化することを規制するロック機能を天板に備えたことを特徴とする請求項１、２に記載の折畳みワゴン棚。
【発明の詳細な説明】
【技術分野】
【０００１】
本発明は、運搬車、特にトレーを収納できる多数の棚を有する折畳むことができるトレー棚であり、未使用、保管時に折畳んで小スペースで移動、収納可能な折畳みトレー棚に関する。          
【背景技術】
【０００２】
一般に食品関係の製造工場、厨房、スーパーマーケット等で広く使用され、トレーに載せた商品を棚にトレーごと載せて運搬や、保管するための棚であるが、未使用保管時に場所をとる為にネスティングできる物があり、特許文献１，２に記載され公知である。また平行四辺形に折畳めて、扁平化でき未使用保管時に場所を取らない物も特許文献３に記載され公知である。
【先行技術文献】
【特許文献】
【０００３】
【特許文献１】特開平０９−１６４９５７
【特許文献２】特開平０９−１６４９５６
【特許文献３】実開平０６−００１０９２
【発明の概要】
【発明が解決しようとする課題】
【０００４】
これらの多数の棚を有するトレー棚は未使用保管時ネスティングできるが、トレー棚一台での未使用、保管時は、必ずトレーの幅と奥行きだけ占有面積をとり邪魔になる。また平行四辺形に折畳みできる物もあるが、可動部を別に設ける必要があり構造が複雑でコストが高く、使用時の剛性感が無い。そこで本発明は、折畳み構造を単純にし、未使用保管時に場所を取らない折畳みトレー棚を提供することを目的とする。
【課題を解決するための手段】
【０００５】
本発明は、次の構成を有することを特徴とする折畳みトレー棚である。
イ．四隅に柱軸を設ける。
ロ．左右の側板の向き合った面に多数の鍔を設ける。
ハ．左右の側版の前後に柱軸を設ける。
二．上下前後に柱軸を連結する接続棒を設ける。
ホ．接続棒に設けた貫通孔に柱軸を回転可能に勘合して連結する。
【０００６】
本発明は、左右の柱軸を接続する接続棒の両端に軸受け蓋を設け、その軸受け蓋と接続棒に貫通孔を設け、柱軸を回転可能に勘合することを特徴とする折畳みトレー棚である。
【０００７】
本発明は、平行四辺形に変化することを規制するロック機能を天板に備えたことを特徴とする折畳みワゴン棚である。
【発明の効果】
【０００８】
本発明の折畳みトレー棚は、四隅に軸兼用の柱を設けることで、構造が簡単で部品点数を削減でき、高剛性で価格が安くできる。トレー運搬棚として使用できるのは勿論、折畳む時に天板を外すだけで、容易に折畳め、一台での保管でもネスティングのように場所を取らない、少スペースでの保管を可能とした。
【０００９】
折畳んだ最少保管状態での自立、移動も可能である。
【００１０】
側板は分割でき、棚ピッチを変更できるので、トレーに載せた品物の高さに合わせ効率よくトレーを積載でき、より多くの品物を積載運搬できる。
【図面の簡単な説明】
【００１１】
【図１】折畳みトレー棚の使用状態を示す斜視図
【図２】折畳みトレー棚の折畳んだ状態（未使用保管状態）の斜視図
【図３】折畳みトレー棚の上面図で使用状態と折畳んだ状態を重ねた図
【図４】折畳みトレー棚の正面上側の部分断面図
【図５】図４Ａ部分の詳細図
【発明を実施するための形態】
【実施例】
【００１２】
図１は折畳みトレー棚を使用状態で示す斜視図である。側板３は上棚４、下棚５、フック７から構成される。上棚４と下棚５はそれぞれ上下に配置され上棚４と下棚５の間にフック７が挟み込まれる。上棚４の上側にもフック７を設置する。上棚４と下棚５は間隔が違う鍔１１を水平に設けてある。図５に示すように上棚４の上端を鍔１１と逆方向水平（外側）に折り曲げ、水平部に柱軸６が貫通する貫通孔を設ける。同様に下棚５の下端を鍔１１と逆方向水平（外側）に折り曲げ、水平部に柱軸６が貫通する貫通孔を設ける。フック７は前後に細長い板を長手方向に垂直に折り曲げた構造である。図５に示すように、フック７の水平面の端部を鍔１２とし、フック７の端部の柱軸６が貫通する水平面に貫通孔を設ける。側板３の上棚４、下棚５の鍔１１とフック７の鍔１２が内側を向くように左右対称に設置し、その側板３の前後に柱軸６を設置する。図５に示すように、左右柱軸６を繋ぐ接続棒８の両端面には軸受け蓋１０を設けその軸受け蓋１０には垂直方向に柱軸６が通る貫通孔を設けている。柱軸６は軸受け蓋１０に設けた貫通孔に回転可能に勘合する。左右にある側板３に対し上下前後にある接続棒８を直角に配置する事で、多段に鍔１１がある折畳みトレー棚の使用状態になる。トレー１を外した状態で左右にある側板３の前後方向に偶力が掛かると柱軸６を軸に接続棒８が回転し、図２、図３に示すように左右側板３が接近しあい平行四辺形に変形し、折畳まれようとする。それを規制する為に、左右側板３の上側と上側前後に設置された接続棒８の上面にできた四角形の空間に、四角形の天板２を嵌め込む事で、左右の側板３に対して各接続棒８が直角を保持でき、折畳みを防止する機能を有する。柱軸６の下側にはキャスター９を備える。
【００１３】
図２は折畳みトレー棚を保管状態（折畳んだ状態）で示す斜視図である。トレー1及び天板２を外す事により、左右にある向かい合った側板３及び、上下前後にある接続棒８は柱軸６を軸にそれぞれ水平回転可能となり、左右にある側板３が接近し平行四辺形に変形でき、折畳むことが可能となる。また外した天板２を紛失しないように、側板３の上側と中間部にあるフック７の垂直折り曲げ部に、天板２を垂直に取り付けることができる。
【００１４】
図３は折畳みトレーの上面図で使用状態と折畳んだ状態を重ねた図で、使用状態では、左右側板３に接続棒８が直角に接続されている状態であるが、左側の側板３を固定し右側の側板３に後ろ方向に力を加えることにより、柱軸６を軸に前後にある接続棒８が左回転し、同時に右側にある側板３は左側にある側板３に接近する。左右に向かい合った側板３の上棚４、下棚５、フック７の鍔１１同士が接触するまで平行四辺形に変形でき、左右にある鍔１１同士が接触した状態が最小占有面積となる保管状態（折畳んだ状態）である。当然使用状態にするには、逆方向の力を加えればよい。
【００１５】
図４は折畳みトレーの正面上側の部分断面図で、図５は図４のＡ部分の詳細図である。軸柱６が、接続棒８の両端面にある軸受け蓋１０を貫通して接続棒８に軸接続されている。よって軸受け蓋１０を摩擦抵抗の低い材質に変更する事で、可動部の抵抗が減る為、折畳み労力の低減が出来る。
【符号の説明】
【００１６】
１トレー
２天板
３側板
４上棚
５下棚
６柱軸
７フック
８接続棒
９キャスター
１０軸受け蓋
１１鍔
１２鍔
【図１】
2014101006.tif 000003
【図２】
2014101006.tif 000004
【図３】
2014101006.tif 000005
【図４】
2014101006.tif 000006
【図５】
2014101006.tif 000007